【手続補正書】
【提出日】平成27年7月2日(2015.7.2)
【手続補正１】
【補正対象書類名】特許請求の範囲
【補正対象項目名】全文
【補正方法】変更
【補正の内容】
【特許請求の範囲】
【請求項１】
試料を分析する分析装置であって、
試料の測定を行うための測定用ハードウェアと、
制御部と、を備え、
前記制御部は、
第１試料バイアルに収容された第１精度管理試料について精度管理測定の実施を促し、
前記測定用ハードウェアで実施された前記第1試料バイアルについての精度管理測定
の結果を受け取り、
前記精度管理測定の結果が所定の範囲外で、且つ、前記精度管理測定の結果が所定の範囲外であった回数が所定の複数回数より少ない場合、第1試料バイアルについて再度前記精度管理測定の実施を促すように構成されている、分析装置。
【請求項２】
前記精度管理測定の結果が所定の範囲外で、且つ、前記精度管理測定の結果が所定の範囲外であった回数が所定の複数回数より多い場合、前記制御部は、第1精度管理試料と同等の濃度の第2精度管理試料を含む第2試料バイアルについて精度管理測定の実施を促すように構成されている、請求項１に記載の分析装置。
【請求項３】
前記制御部は、
前記精度管理測定の結果が所定の範囲外である場合、前記測定用ハードウェアによる試料の測定を禁止し、
前記精度管理測定の結果が所定の範囲内である場合、前記測定用ハードウェアによる試料の測定を準備するための指示を出力するように構成されている、請求項１に記載の分析装置。
【請求項４】
前記第２バイアルの精度管理結果が前記所定の範囲外で、且つ、前記第２バイアルの精度管理結果が所定の範囲外であった回数が第２の所定の回数より多い場合、前記制御部は、サービス担当者への連絡を促すように構成されている、請求項１乃至３の何れか１項に記載の分析装置。
【請求項５】
前記所定の複数回数は２回である請求項１乃至４の何れか1項に記載の分析装置。
【請求項６】
前記分析装置は血液分析装置である、請求項１乃至５の何れか１項に記載の分析装置。
【請求項７】
試料の測定を行うための測定用ハードウェアを備えた、分析装置における試料分析方法であって、
第１試料バイアルに収容された第１精度管理試料について精度管理測定の実施を促すステップと、
測定用ハードウェアで実施された前記第1試料バイアルについての精度管理測定の結果を受け取るステップと、
前記精度管理測定の結果が所定の範囲外で、且つ、前記精度管理測定の結果が所定の範囲外であった回数が所定の複数回数より少ない場合、第1試料バイアルについて再度前記精度管理測定の実施を促すステップを含む、試料分析方法。
【請求項８】
前記精度管理測定の結果が所定の範囲外で、且つ、前記精度管理測定の結果が所定の範囲外であった回数が所定の複数回数より多い場合、第1精度管理試料と同等の濃度の第2精度管理試料を含む第2試料バイアルについて精度管理測定の実施を促すステップを含む、請求項７に記載の試料分析方法。
【請求項９】
前記精度管理測定の結果が所定の範囲外である場合、前記測定用ハードウェアによる試料の測定を禁止し、
前記精度管理測定の結果が所定の範囲内である場合、前記測定用ハードウェアによる試料の測定を準備するための指示を出力するステップを含む、請求項７に記載の試料分析方法。
【請求項１０】
前記第２バイアルの精度管理結果が前記所定の範囲外で、且つ、前記前記第２バイアルの精度管理結果が所定の範囲外であった回数が第２の所定の回数より多い場合、サービス担当者への連絡を促すステップを含む、請求項７乃至９の何れか１項に記載の試料分析方法。
【請求項１１】
前記所定の複数回数は２回である請求項７乃至１０の何れか1項に記載の試料分析方法。
【請求項１２】
前記分析装置は血液分析装置である、請求項７乃至１１の何れか１項に記載の試料分析方法。
【請求項１３】
試料の測定を行うための測定用ハードウェアを備えた、分析装置のコンピュータを、
第１試料バイアルに収容された第１精度管理試料について精度管理測定の実施を促す手段と、
前記測定用ハードウェアで実施された前記第1試料バイアルについての精度管理測定の結果を受け取る手段と、
前記精度管理測定の結果が所定の範囲外で、且つ、前記精度管理測定の結果が所定の範囲外であった回数が所定の複数回数より少ない場合、第1試料バイアルについて再度前記精度管理測定の実施を促す手段、
として機能させるためのコンピュータプログラム。
【請求項１４】
前記精度管理測定の結果が所定の範囲外で、且つ、前記精度管理測定の結果が所定の範囲外であった回数が所定の複数回数より多い場合、第1精度管理試料と同等の濃度の第2精度管理試料を含む第2試料バイアルについて精度管理測定の実施を促す手段を含む、請求項１３に記載のコンピュータプログラム。
【請求項１５】
前記精度管理測定の結果が所定の範囲外である場合、前記測定用ハードウェアによる試料の測定を禁止し、
前記精度管理測定の結果が所定の範囲内である場合、前記測定用ハードウェアによる試料の測定を準備するための指示を出力する手段を含む、請求項１３に記載のコンピュータプログラム。
【請求項１６】
前記第２バイアルの精度管理結果が前記所定の範囲外で、且つ、前記前記第２バイアルの精度管理結果が所定の範囲外であった回数が第２の所定の回数より多い場合、サービス担当者への連絡を促す手段を含む、請求項１３乃至１５の何れか１項に記載のコンピュータプログラム。
【請求項１７】
前記所定の複数回数は２回である請求項１３乃至１６の何れか1項に記載のコンピュータプログラム。
【請求項１８】
前記分析装置は血液分析装置である、請求項１３乃至１７の何れか１項に記載のコンピュータプログラム。
【手続補正２】
【補正対象書類名】明細書
【補正対象項目名】０００９
【補正方法】変更
【補正の内容】
【０００９】
上述した課題を解決するために、本発明の分析装置は、試料を分析する分析装置であって、試料の測定を行うための測定用ハードウェアと、制御部とを含む。制御部は、第１試料バイアルに収容された第１精度管理試料について精度管理測定の実施を促し、前記測定用ハードウェアで実施された前記第1試料バイアルについての精度管理測定の結果を受け取り、前記精度管理測定の結果が所定の範囲外で、且つ、前記精度管理測定の結果が所定の範囲外であった回数が所定の複数回数より少ない場合、第1試料バイアルについて再度前記精度管理測定の実施を促すように構成されている。
【手続補正３】
【補正対象書類名】明細書
【補正対象項目名】００１０
【補正方法】変更
【補正の内容】
【００１０】
上記分析装置は、好ましくは、精度管理測定の結果が所定の範囲外で、且つ、精度管理測定の結果が所定の範囲外であった回数が所定の複数回数より多い場合、制御部は、第1精度管理試料と同等の濃度の第2精度管理試料を含む第2試料バイアルについて精度管理測定の実施を促すように構成されている。
【手続補正４】
【補正対象書類名】明細書
【補正対象項目名】００１３
【補正方法】変更
【補正の内容】
【００１３】
上述した課題を解決するために、本発明の試料を測定するための分析方法は、試料の測定を行うための測定用ハードウェアを含む、試料を分析する分析装置において、第１試料バイアルに収容された第１精度管理試料について精度管理測定の実施を促すステップと、測定用ハードウェアで実施された前記第1試料バイアルについての精度管理測定の結果を受け取るステップと、前記精度管理測定の結果が所定の範囲外で、且つ、前記精度管理測定の結果が所定の範囲外であった回数が所定の複数回数より少ない場合、第1試料バイアルについて再度前記精度管理測定の実施を促すステップを含む。
【手続補正５】
【補正対象書類名】明細書
【補正対象項目名】００１４
【補正方法】変更
【補正の内容】
【００１４】
上述した課題を解決するために、本発明のコンピュータプログラムは、試料の測定を行うための測定用ハードウェアを備え、試料を分析する分析装置に含まれるコンピュータを第１試料バイアルに収容された第１精度管理試料について精度管理測定の実施を促す手段と、前記測定用ハードウェアで実施された前記第1試料バイアルについての精度管理測定の結果を受け取る手段と、前記精度管理測定の結果が所定の範囲外で、且つ、前記精度管理測定の結果が所定の範囲外であった回数が所定の複数回数より少ない場合、第1試料バイアルについて再度前記精度管理測定の実施を促す手段として機能させる。